(57)【要約】【課題】本発明は、ため池等貯水池に貯えられている水の濁りを抑えるとともに、表層水を選択的に流通可能とする汚濁防止装置を提供する。【解決手段】水上に浮遊するフロート部２０と、そのフロート部２０に、テンションベルト４０を介して吊り下げられた汚濁防止膜１０と、その汚濁防止膜１０の下端部に取り付けられた重錘３０と、を備え、その汚濁防止膜１０又はフロート部２０に表層水が流通可能な表層開口部１２を備え、その表層開口部１２の下に不透水性のカーテン部１１を含む。このような汚濁防止装置１を、ため池等貯水池のダム堤体から上流側に距離を設けて略平行に設置することにより、下流側の貯水の濁りを抑えるとともに、表層水が下流側に流通可能となる。【選択図】図１Ａ
2016199854.tif 000002
【特許請求の範囲】
【請求項１】
水上に浮遊するフロート部と、
そのフロート部に、テンションベルトを介して吊り下げられた汚濁防止膜と、
その汚濁防止膜の下端部に取り付けられた重錘と、
を備え、
前記汚濁防止膜又は前記フロート部に表層水が流通可能な表層開口部を備え、前記表層開口部の下に不透水性のカーテン部を含む汚濁防止装置。
【請求項２】
前記表層開口部が、ネットである請求項１に記載の汚濁防止装置。
【請求項３】
前記テンションベルトの第１面は、前記汚濁防止膜の上端に取り付けられ、前記テンションベルトの第２面は前記フロート部の外周面に付着されている請求項１又は２に記載の汚濁防止装置。
【請求項４】
前記カーテン部の表面側と裏面側のいずれか一面上に、前記汚濁防止膜のたわみを防止する沈下用補助重錘を設けた請求項１〜３のいずれか一項に記載の汚濁防止装置。
【請求項５】
前記フロート部と略平行な方向に延びる補強ベルト上に、前記沈下用補助重錘を設ける請求項１〜４のいずれか一項に記載の汚濁防止装置。
【請求項６】
前記沈下用補助重錘がチェーンである請求項４又は５に記載の汚濁防止装置。
【請求項７】
前記汚濁防止膜の下端部に水底に沿って配置される不透水性のエプロンカーテンを有する請求項１〜６のいずれか一項に記載の汚濁防止装置。
【発明の詳細な説明】
【技術分野】
【０００１】
本発明は、ため池等貯水池に貯えられている水の濁りを抑えるとともに、表層水を選択的に流通可能とする汚濁防止装置に関する。
【背景技術】
【０００２】
従来から、ダム貯水池等の水の濁りを防止する装置として、例えば、特許文献１〜３に記載されているような、上端にフロートを備え、そのフロートにポリエステル織布からなる汚濁防止膜が吊架され、その下端部にはふかれ防止のための、チェーンから成る重錘が取り付けられている汚濁防止装置が用いられている。
【０００３】
特許文献１の汚濁防止装置は、ダム貯水池等の閉鎖性水域にフロートを横断方向に浮設するとともに、そのフロートから閉鎖性水域の水中に汚濁防止膜を吊設することによって、閉鎖性水域の上層部分を上流側と下流側とに分離している。その汚濁防止膜は遮水性と強度をもったシートであり、そのシートの水深方向の長さは、無光層までの水深の長さとされている。
【０００４】
また、特許文献２と特許文献３の汚濁防止装置は、フロートと汚濁防止膜が、テンションベルトにて連結されている。そのテンションベルトは、フロートの下縁にテンションベルトの上縁を接続し、そのテンションベルトの下縁に汚濁防止膜の上縁を接続している。さらに、例えば、特許文献２には、フロートと汚濁防止膜の境界部にテンションベルトを備え、そのテンションベルトには長方形板状の基板とＤ字状環からなる接続金具が取り付けられている汚濁防止装置が記載されている。この接続金具と、テンションベルトの前面側のシャックルと後面側のシャックルをリング型の金具で接続することによって、強固に隣接する汚濁防止装置を接続している。
【０００５】
ところで、この種の汚濁防止装置は、水位の低下に応じてフロートが降下し、汚濁防止膜にたわみが生じるようになる。そこで従来は、例えば特許文献３に記載されているように、汚濁防止膜の中間部に中間フロートを取り付け、汚濁防止膜のたわみを防止している。その中間フロートは、低水位となった時に、その水面上に浮上するように設けられており、そして、その中間フロートと下端部の重錘との間の汚濁防止膜を可及的に垂直状にしている。
【先行技術文献】
【特許文献】
【０００６】
【特許文献１】特開平１０−６０８７４号公報
【特許文献２】特開平４−６４６１４号公報
【特許文献３】特開平９−５３２２２号公報
【発明の概要】
【発明が解決しようとする課題】
【０００７】
しかしながら、これらの従来の汚濁防止装置では、フロート部から、その接続部において汚濁防止膜が隙間なく備えられているために、表層水が流通することは不可能である。
【０００８】
近年、福島県内の多数の貯水池の底に堆積した泥から放射性セシウムが検出されており、その濃度は１万〜１５万Ｂｑ／ｋｇと非常に高くなっている。放射性セシウムは泥の粘土粒子に固く吸着されているため、粘土粒子が流出しなければ下流側に影響がないことが調査によって確認されている。しかし、その粘土粒子は１０μｍ以下のものもあり、沈降時間が長く、また水底に沈降したものでもわずかな刺激で再浮上する可能性がある。また、貯水池の取水は表層からするように指導されているため、水位が変動したときでも選択的に表層水を流通させ、取水可能である装置が必要である。
【０００９】
本発明の課題は、ため池等貯水池に貯えられている水の濁りを抑えるとともに、表層水を選択的に流通可能とする汚濁防止装置を提供することにある。
【課題を解決するための手段】
【００１０】
上記課題を解決するため、本発明者らは汚濁防止装置が、水上に浮遊するフロート部にテンションベルトを介して汚濁防止膜を吊り下げ、その汚濁防止膜の下端部に重錘を備えるとともに、その汚濁防止膜又はフロート部に表層水が流通可能な表層開口部を備え、その表層開口部の下に不透水性のカーテン部を含むことにより上記課題を解決しうることを見出した。すなわち、本発明によれば、以下の汚濁防止装置が提供される。
【００１１】
［１］水上に浮遊するフロート部と、そのフロート部に、テンションベルトを介して吊り下げられた汚濁防止膜と、その汚濁防止膜の下端部に取り付けられた重錘と、を備え、前記汚濁防止膜又は前記フロート部に表層水が流通可能な表層開口部を備え、前記表層開口部の下に不透水性のカーテン部を含む汚濁防止装置。
【００１２】
［２］前記表層開口部が、ネットである前記［１］に記載の汚濁防止装置。
【００１３】
［３］前記テンションベルトの第１面は、前記汚濁防止膜の上端に取り付けられ、前記テンションベルトの第２面は前記フロート部の外周面に付着されている前記［１］又は［２］に記載の汚濁防止装置。
【００１４】
［４］前記カーテン部の表面側と裏面側のいずれか一面上に、前記汚濁防止膜のたわみを防止する沈下用補助重錘を設けた前記［１］〜［３］のいずれかに記載の汚濁防止装置。
【００１５】
［５］前記フロート部と略平行な方向に延びる補強ベルト上に、前記沈下用補助重錘を設ける前記［１］〜［４］のいずれかに記載の汚濁防止装置。
【００１６】
［６］前記沈下用補助重錘がチェーンである前記［４］又は［５］に記載の汚濁防止装置。
【００１７】
［７］前記汚濁防止膜の下端部に水底に沿って配置される不透水性のエプロンカーテンを有する前記［１］〜［６］のいずれかに記載の汚濁防止装置。
【発明の効果】
【００１８】
本発明の汚濁防止装置は、水上に浮遊するフロート部と、そのフロート部に、テンションベルトを介して吊り下げられた汚濁防止膜と、その汚濁防止膜の下端部に取り付けられた重錘と、を備え、汚濁防止膜又はフロート部に表層水が流通可能な表層開口部を備え、前記表層開口部の下に不透水性のカーテン部を含むため、表層開口部で表層水が流通し、カーテン部で粘土粒子の沈降を促進し、再浮上を抑制可能なために、表層水が選択的に取水可能となる。また、汚濁防止膜に表層開口部を備える場合は、テンションベルトの第１面は、汚濁防止膜の上端に取り付けられ、そのテンションベルトの第２面はフロート部の外周面に付着することが好ましく、これにより、表層水がテンションベルトで遮られることなく、表層開口部でより流通しやすくなる。更に、カーテン部の表面側と裏面側のいずれか一面上に、汚濁防止膜のたわみを防止する沈下用補助重錘を設けた場合は、貯水池等の水位が下降した際も、汚濁防止膜がたわむことなく、垂直にすることが可能である。
【図面の簡単な説明】
【００１９】
【図１Ａ】汚濁防止膜に表層開口部を備えた汚濁防止装置の一実施形態を示す正面図である。
【図１Ｂ】汚濁防止膜に表層開口部を備えたフロート部の一実施形態を示す説明図である。
【図１Ｃ】フロート部に表層開口部を備えた汚濁防止装置の一実施形態を示す正面図である。
【図１Ｄ】フロート部に表層開口部を備えたフロート部の一実施形態を示す説明図である。
【図２Ａ】汚濁防止膜に表層開口部を備えた汚濁防止装置の一実施形態を示す断面図である。
【図２Ｂ】汚濁防止膜に表層開口部を備えた汚濁防止装置の表層開口部の連結構造を示す断面図である。
【図２Ｃ】フロート部に表層開口部を備えた汚濁防止装置の一実施形態を示す断面図であり、図１ＣのＡ−Ａ´部の断面図である。
【図２Ｄ】フロート部に表層開口部を備えた汚濁防止装置の一実施形態を示す断面図であり、図１ＣのＢ−Ｂ´部の断面図である。
【図２Ｅ】汚濁防止装置の沈下用補助重錘の取付け構造を示す断面図である。
【図３】汚濁防止装置の設置状態を示す説明図である。
【図４】汚濁防止装置の満水時における設置状態を示す断面図である。
【図５】汚濁防止装置の水位低下時における設置状態を示す断面図である。
【図６】エプロンカーテンを備えた汚濁防止装置の一実施形態を示す正面図である。
【図７】エプロンカーテンを備えた汚濁防止装置の設置状態を示す説明図である。
【図８】接続ラップ部の一実施形態を示す拡大図である。
【図９】汚濁防止装置のフロート部を水面に浮かべた状態を示す説明図である。
【図１０】エプロンカーテンを備えた汚濁防止装置のフロート部を水面に浮かべた状態を示す説明図である。
【発明を実施するための形態】
【００２０】
以下、図面を参照しつつ本発明の実施形態について説明する。本発明は、以下の実施形態に限定されるものではなく、発明の範囲を逸脱しない限りにおいて、変更、修正、改良を加え得るものである。
【００２１】
本発明の汚濁防止装置１は、水上に浮遊するフロート部２０と、そのフロート部２０に、テンションベルト４０を介して吊り下げられた汚濁防止膜１０と、その汚濁防止膜１０の下端部に取り付けられた重錘３０と、を備える。さらに、その汚濁防止膜１０又はフロート部２０に表層水１０１が流通可能な表層開口部１２を備え、表層開口部１２の下に不透水性のカーテン部１１を含む。図１Ａ、図１Ｂ、図２Ａ及び図２Ｂには、汚濁防止膜１０に表層開口部１２を備えた汚濁防止装置１の一実施形態を示す。また、図１Ｃ、図１Ｄ、図２Ｃ及び図２Ｄには、フロート部２０に表層開口部１２を備えた汚濁防止装置１の一実施形態を示す。このような汚濁防止装置１を貯水池１００等に設置すると、図３に示すように表層水１０１は表層開口部１２を通って流通し、粘土粒子１０２はカーテン部１１によってせき止められ、下降する。このために、表層水１０１を選択的に取水することが可能となる。
【００２２】
図１Ａ、図２Ａ及び図２Ｂに示すように、汚濁防止膜１０に表層開口部１２を備えた汚濁防止装置１は、上部に表層開口部１２を含み、その表層開口部１２の下にカーテン部１１を含む汚濁防止膜１０を有している。この汚濁防止膜１０は、異素材の表層開口部１２とカーテン部１１をミシン縫製、ロープ結束、ボルト止め等によって連結させてもよく、カーテン部１１の上方に穴を開けて開口部を設けてもよい。また、その表層開口部１２は開口１３を有し、表層水１０１が流通可能であれば、その開口１３の形状は特に限定されないが、表層開口部１２が、ネットであることが好ましい。
【００２３】
また、汚濁防止膜１０に表層開口部１２を備えた汚濁防止装置１のフロート部２０は、図１Ｂに示すように、比重の小さい発泡樹脂（例えば、発泡スチレン）からなる略円柱体のフロート２２に、ポリエステルキャンパスからなるフロートカバー２１を被せることにより構成される。
【００２４】
本発明の汚濁防止装置１は、フロート部２０と、ポリエステルで形成されたテンションベルト４０を介して汚濁防止膜１０が連結される。しかし、汚濁防止装置１の汚濁防止膜１０に表層開口部１２を備えている場合、表層水１０１を十分に流通させるためには、テンションベルト４０の面における幅が広く、且つその面の幅における第１の縁部がフロート部２０に接続され、第２の縁部が汚濁防止膜１０に接続されることは好ましくない。したがって、この実施形態の汚濁防止装置１は、図２Ｂに示すように、テンションベルト４０の第１面が、汚濁防止膜１０の上端に取り付けられ、そのテンションベルト４０の第２面がフロート部２０の外周面に付着されていることが好ましい。また、テンションベルト４０の第２面の付着は、フロートカバー２１の外周面にテンションベルト４０の第２面をあわせ、ミシン縫製することが好ましい。このようにテンションベルト４０を設けることで、表層水１０１が流通しやすくなる。
【００２５】
一方、図１Ｃ、図１Ｄ、図２Ｃ及び図２Ｄに示すように、フロート部２０に表層開口部１２を備えた汚濁防止装置１は、複数のフロート部２０を備えており、隣接するフロート部２０とフロート部２０の間に所定の距離の空間を有した状態でテンションベルト４０を介して汚濁防止膜１０に接続していることが好ましい。この隣接するフロート部２０とフロート部２０の間の空間が、表層水１０１が流通可能な表層開口部１２である。図２Ｃに示すように、汚濁防止装置１を貯水池１００等に設置すると、水上に浮遊するフロート部２０の下部が水面よりも下（水中）に沈んだ状態で配される。このため、フロート部の下部に接続されたテンションベルト４０及び汚濁防止膜１０は水中に配置された状態となる。よって、図２Ｄに示すように、隣接するフロート部２０とフロート部２０との間の空間にある表層水１０１はフロート部２０、テンションベルト４０及び汚濁防止膜１０によりせき止められることがない。したがって、表層水１０１は、隣接するフロート部２０とフロート部２０の間の空間である表層開口部１２により、流通することができる。
【００２６】
また、フロート部２０に表層開口部１２を備えた汚濁防止装置１のフロート部２０は、図１Ｄに示すように、比重の小さい発泡樹脂（例えば、発泡スチレン）からなる略円柱体のフロート２２に、ポリエステルキャンパスからなるフロートカバー２１を被せることで構成されており、複数のフロート部２０の下部は、所定の間隔を空けてテンションベルト４０に取り付けられていることが好ましい。また、各フロート部２０には少なくとも１つのフロート２２が含まれていることが好ましい。さらに、各フロート部２０のフロートカバー２１の長手方向の両端は、第２の補強ベルト１５により補強されていることが好ましい。
【００２７】
図１Ｃ及び図２Ｃに示すように、フロート部２０に表層開口部１２を備えた汚濁防止装置１は、フロート部２０の下部に、ポリエステルで形成されたテンションベルト４０を介して、不透水性のカーテン部１１を含む汚濁防止膜１０が連結される。この実施形態のテンションベルト４０は、その面の幅における第１の縁部がフロート部２０に接続され、第２の縁部が汚濁防止膜１０に接続されていても良く、テンションベルト４０の第１面が、汚濁防止膜１０の上端に取り付けられ、そのテンションベルト４０の第２面がフロート部２０の外周面に付着されていても良い。
【００２８】
なお、汚濁防止膜１０に表層開口部１２を備える実施形態においても、フロート部２０に表層開口部１２を備える実施形態においても、表層開口部１２の上下方向の長さは、ため池等貯水池の越流堰の取水口断面積（水が越流堰から流出するための取水口１０５の断面積）をもとに決定することが好ましい。なお、表層開口部１２の面積は越流堰の取水口断面積より大きいことが好ましく、越流堰の取水口断面積の２倍以上がより好ましい。表層開口部１２をこのような面積にすることによって、汚濁防止装置１が洪水時の放流障害になることを防止することができる。したがって、越流堰の取水口断面積をＳ（ｍ２）、汚濁防止装置の長手方向の長さをＬ（ｍ）とすると、表層開口部の上下方向の長さＷ（ｍ）を、Ｗ≧２Ｓ／Ｌとすることが好ましい（図３、図７〜図１０参照）。また、このような上下方向の長さの表層開口部を有することによって、粘土粒子の表層水への混入を防止し、且つ表層水を十分に流通させることができる。
【００２９】
カーテン部１１はポリエステルから成ることが好ましく、上下方向のカーテン部１１の長さは満水水位時の地底地形に合わせることが好ましい。このような長さにすることで、満水水位時でも水の濁りを防止することが可能となる。カーテン部１１の下端部には、重錘３０が取り付けられ、カーテン部１１を垂直にしていることが好ましく、重錘３０としては、チェーン、鉛ロープ、鉄板等を用いることが好ましい。また、これらの重錘３０は、複数のボルトを用いてカーテン部１１の表面側及び／又は裏面側に取り付けられるが、カーテン部１１の損傷を減少させるためには、カーテン部１１の下流側に取り付けられることが好ましい。
【００３０】
また、カーテン部１１の上端部及び下端部の表面側及び／又は裏面側には、カーテン部１１の長手方向に沿って延びる幅広の第１の補強ベルト１４が設けられ、左右両側縁部の表面側及び／又は裏面側にもカーテン部１１の上下方向に沿って延びる幅広の第１の補強ベルト１４が設けられていることが好ましい。図２Ｂに示すように、汚濁防止膜１０に表層開口部１２を備える場合には、カーテン部１１の上端部の長手方向に沿って延びる第１の補強ベルト１４は、カーテン部１１の上端と表層開口部１２の下端を挟んだ状態で表面側及び裏面側に設けられており、重布用のミシンで縫製することによって、カーテン部１１と表層開口部１２とを接続することが好ましい。
【００３１】
そして、カーテン部１１の上下方向の中間部分の表面側及び／又は裏面側には、カーテン部１１の長手方向に沿って延びる幅狭の第２の補強ベルト１５が複数設けられていることが好ましい。また、カーテン部１１の長手方向においても、一定間隔でもって、カーテン部１１の上下方向に延びる幅狭の第２の補強ベルト１５が設けられていることが好ましい。第１の補強ベルト１４及び第２の補強ベルト１５は、例えばポリエステル織布で形成され、その引張強度はカーテン部１１よりも大きい。幅広の第１の補強ベルト１４の幅は、幅狭の第２の補強ベルト１５の幅の２倍程度が好ましく、これにより、カーテン部１１の周縁部の補強強度をカーテン部１１の中央部分よりも高めることができる。
【００３２】
更に、カーテン部１１の表面側と裏面側のいずれか一面上に、汚濁防止膜１０のたわみを防止する沈下用補助重錘１６が設けられていることが好ましい。沈下用補助重錘１６としては、チェーン、鉛ロープ、鉄板等が挙げられる。この沈下用補助重錘１６は、下向きの荷重を付与するため、図４及び図５に示すように、水位が低下すると、それにあわせて沈下用補助重錘１６が沈む。このために、汚濁防止膜１０のたわみを防止し、汚濁防止膜１０を垂直にせしめるとともに、表層開口部１２の位置を保持することが可能となる。
【００３３】
図２Ｅに示すように、沈下用補助重錘１６は、カーテン袋１７の中に入れた状態で設けることが好ましい。カーテン袋１７に覆われていることで、カーテン部１１の損傷を防止できる。また、沈下用補助重錘１６はカーテン部１１の長手方向に延びる第１の補強ベルト１４上及び／又は第２の補強ベルト１５上に設けることが好ましい。この時、沈下用補助重錘１６がカーテン袋１７の中に入っていると、図２Ｅに示すようにカーテン部１１と第２の補強ベルト１５との間に、そのカーテン袋１７の上端を挟んだ状態で、重布用ミシンで縫製して取り付けることができるため、取り付けが容易である。更に、このような沈下用補助重錘１６をカーテン部１１の下流側に取り付けると、カーテン部１１の損傷をより防止できる。
【００３４】
更に、図６に示すように、汚濁防止膜１０の下端部には、水底１０３に沿って配置されるエプロンカーテン４５を有することが好ましい。エプロンカーテン４５はカーテン部１１と同様のポリエステル織布から成ることが好ましい。また、図７に示すように、カーテン部１１の下端部との接続部と垂直方向の、エプロンカーテン４５の長さは、汚濁防止膜１０の設置底部から水底１０３に沿って、堰堤１０４における取水口１０５までの延長距離とすることが好ましい。このような長さのエプロンカーテン４５を設けることで、粘土粒子１０２が再浮上し、取水口１０５から流れ出るのを防止することができる。
【００３５】
このエプロンカーテン４５の中間部の表面側及び／又は裏面側には、上下方向に沿って延びる幅狭の第２の補強ベルト１５を複数設けることが好ましく、その第２の補強ベルト１５上には沈下用補助重錘１６を設けることが好ましい。この沈下用補助重錘１６も、カーテン袋１７に覆われていることが好ましい。このように、第２の補強ベルト１５を設け、沈下用補助重錘１６を設けることで、エプロンカーテン４５の強度を高めるとともに、水底１０３に沿って沈下し、エプロンカーテン４５の浮上を防止することができる。更に、汚濁防止装置１を設置する際に、水流の変化によって、低層の粘土浮泥が再浮上する可能性があるが、エプロンカーテン４５を汚濁防止膜１０の下端部に取り付けることで、粘土粒子１０２を封じ込めることができ、再浮上を防止することができる。
【００３６】
隣接する汚濁防止膜１０、フロートカバー２１及びエプロンカーテン４５は、長手方向の両端に設けられた接続ラップ部５０にて接続されていることが好ましい。接続ラップ部５０は、図１Ａ、図１Ｃ、図６及び図８に示すように、隣接する上下方向に沿って延びる第１の補強ベルト１４と接続ベルト５１、及び隣接するテンションベルト４０、隣接する長手方向に沿って延びる第１の補強ベルト１４、又は隣接する長手方向に沿って延びる第２の補強ベルト１５と接続金具５５から成り立っていることが好ましい。
【００３７】
隣接する上下方向に沿って延びる第１の補強ベルト１４は、汚濁防止膜１０の左右両側縁部に沿って所定の間隔をあけて並列に２本設けられており、さらにそれぞれの第１の補強ベルト１４上の中央部には上下方向に所定の間隔で複数の穴が空いている。そして、隣接する汚濁防止装置１の接続ラップ部５０を重ね合わせ、このような２本の第１の補強ベルト１４をそれぞれ隣接させて、その補強ベルト１４上に設けた穴にポリエステルから成る接続ベルト５１を通して結束することにより、汚濁防止装置１を連結できる。このように、接続ラップ部５０を重ね合わせて、二重に連結することによって、接続ベルト５１が外れてしまった際に、その接続ラップ部５０の隙間を通って粘土粒子１０２が流出することを防止できる。
【００３８】
また、隣接する汚濁防止装置１は、更にテンションベルト４０、長手方向に沿って延びる第１の補強ベルト１４、及び／又は長手方向に沿って延びる第２の補強ベルト１５の、それぞれの端部に取り付けてられている接続金具５５によっても連結されていることが好ましい。この接続金具５５は、Ｄ管５６にシャックル５７を取り付けることによって構成され、隣接する汚濁防止装置１を強固に連結している。
【００３９】
本発明の汚濁防止装置１の設置方法は、まず、貯水池１００の両岸１０６にアンカー６０を設置し、水面に、汚濁防止膜１０をロープで仮結束した汚濁防止装置１を入れる。次に、図９に示すように、フロート部２０のフロートカバー２１の両端をアンカー６０に固定し、仮結束したロープを切り離し、汚濁防止膜１０を自重や重錘、及び沈下用補助重錘の重みで沈下させることによって設置することが好ましい。また、図４及び図５に示すように、水位の下降に従って、フロート部２０が下降するため、フロート部２０はたゆませて設置することが好ましい。このように設置することができるため、大きな工事を必要とせず、施工が低コストで、且つ短時間で行える。
【００４０】
汚濁防止装置１にエプロンカーテン４５を備えた場合は、まず、陸上で、汚濁防止膜１０にエプロンカーテン４５を取り付け、更にエプロンカーテン４５には、設置作業時の沈下防止のために小フロートを取り付ける。次に汚濁防止膜１０のみをロープで仮結束し、その後、小フロートを取り付けたエプロンカーテン４５を汚濁防止膜１０と一緒にロープで仮結束する。そして、このような状態の汚濁防止装置１を水面に入れ、汚濁防止装置１の設置を開始することが好ましい。フロートカバー２１の両端をアンカー６０に固定し、エプロンカーテン４５を仮結束したロープを切り離す。エプロンカーテン４５が先に取り付けた小フロートによって水面に浮上した状態で、エプロンカーテン４５の下縁部を堤体に引き寄せ、小さい杭を用いて所定の間隔をあけて堤体に固定する。次に、エプロンカーテン４５の小フロートを取り外し、汚濁防止膜１０を単独に仮結束したロープを切り離して、汚濁防止膜１０及びエプロンカーテン４５を自重や重錘、及び沈下用補助重錘の重みで沈下させることによって図１０に示すように設置することが好ましい。このように設置することができるため、エプロンカーテン４５を備えた場合も低コストで、且つ短時間で施工を行うことができる。
【産業上の利用可能性】
【００４１】
本発明は、ダム湖やため池等貯水池において、表層水を選択的に取水可能な汚濁防止装置として好適に使用できる。
【符号の説明】
【００４２】
１：汚濁防止装置、１０：汚濁防止膜、１１：カーテン部、１２：表層開口部、１３：開口、１４：第１の補強ベルト、１５：第２の補強ベルト、１６：沈下用補助重錘、１７：カーテン袋、２０：フロート部、２１：フロートカバー、２２：フロート、３０：重錘、４０：テンションベルト、４５：エプロンカーテン、５０：接続ラップ部、５１：接続ベルト、５５：接続金具、５６：Ｄ管、５７：シャックル、６０：アンカー、１００：貯水池、１０１：表層水、１０２：粘土粒子、１０３：水底、１０４：堰堤、１０５：取水口、１０６：岸。
【図１Ａ】
2016199854.tif 000003
【図１Ｂ】
2016199854.tif 000004
【図１Ｃ】
2016199854.tif 000005
【図１Ｄ】
2016199854.tif 000006
【図２Ａ】
2016199854.tif 000007
【図２Ｂ】
2016199854.tif 000008
【図２Ｃ】
2016199854.tif 000009
【図２Ｄ】
2016199854.tif 000010
【図２Ｅ】
2016199854.tif 000011
【図３】
2016199854.tif 000012
【図４】
2016199854.tif 000013
【図５】
2016199854.tif 000014
【図６】
2016199854.tif 000015
【図７】
2016199854.tif 000016
【図８】
2016199854.tif 000017
【図９】
2016199854.tif 000018
【図１０】
2016199854.tif 000019